(57)【特許請求の範囲】
【請求項１】
下方が開放された外部ケースに乾燥させる物品を収容することができる昇降棚を上昇させて収納及び下降させて取出し自在に設けた昇降乾燥装置であって、外部ケース内において昇降棚を昇降させる昇降機構部をカバーにて囲繞し、カバーに昇降用の昇降索を通過させる孔を形成し、昇降棚が上昇された収納状態において孔を閉塞するシール手段を孔の周部においてカバーと昇降棚の天板との間に設けて成ることを特徴とする昇降乾燥装置。
【請求項２】
下方が開放された外部ケースに乾燥させる物品を収容することができる昇降棚を上昇させて収納及び下降させて取出し自在に設けた昇降乾燥装置であって、外部ケース内において昇降棚を昇降させる昇降機構部をカバーにて囲繞し、カバーに昇降用の昇降索を通過させる孔を形成し、昇降棚が上昇された収納状態において孔を閉塞するシール手段を昇降棚の外周部においてカバーと昇降棚の天板との間に設けて成ることを特徴とする昇降乾燥装置。
【請求項３】
上昇して収納された昇降棚の下端部と外部ケースの下端部とに間のシールを図るシール部を設けて成ることを特徴とする請求項１又は２記載の昇降乾燥装置。
【請求項４】
下降して引出された昇降棚の上端部と外部ケースの下端部との間のシールを図るシール材を設けて成ることを特徴とする請求項１乃至３のいずれかに記載の昇降乾燥装置。
【請求項５】
外部ケースの天板の下面に昇降機構部を取付け、断面Ｕ字状に形成したカバーを外部ケースの天板の下面に着脱自在に取付けて成ることを特徴とする請求項１記載の昇降乾燥装置。
【発明の詳細な説明】
【０００１】
【発明の属する技術分野】
本発明は、主として、食器乾燥器として使用される昇降乾燥装置に関し、詳しくは、昇降棚の構成を簡素化しながら、昇降機構部側に高温多湿の排気が波及するのを防止し、かつ、ゴキブリ等の侵入を確実に防止しようとする技術に係るものである。
【０００２】
【従来の技術】
従来、下方が開放された外部ケース１ａに乾燥させる物品を収容することができる昇降棚２ａを上昇させて収納及び下降させて取出し自在に設けた昇降乾燥装置においては、図１１に示すように、昇降棚２ａを密閉構造にして、昇降機構部１３側に昇降棚２ａ側から高温多湿の排気が波及するのを防止するようにしている。
【０００３】
【発明が解決しようとする課題】
ところで、このように昇降棚２ａを密閉構造にする場合には、コストアップとなるとともに、昇降棚２ａの収容量が小さくなるものである。それでいて、昇降機構部１３を覆う覆い部１４ａには孔２８をあけてベルトのような昇降索２７を垂下しているのであり、このような孔２８からゴキブリが昇降機構部１３の内部に侵入する等という問題があった。
【０００４】
本発明はこのような問題に鑑みてなされたものであり、昇降棚の構成を簡素化しながら、昇降機構部側に高温多湿の排気が波及するのを防止することができ、かつ、ゴキブリ等の侵入を確実に防止することができる乾燥昇降装置を提供することを課題とするものである。
【０００５】
【課題を解決するための手段】
請求項１においては、下方が開放された外部ケース１に乾燥させる物品を収容することができる昇降棚２を上昇させて収納及び下降させて取出し自在に設けた昇降乾燥装置であって、外部ケース１内において昇降棚２を昇降させる昇降機構部１３をカバー１４にて囲繞し、カバー１４に昇降用の昇降索２７を通過させる孔２８を形成し、昇降棚２が上昇された収納状態において孔２８を閉塞するシール手段２９を孔２８の周部においてカバー１４と昇降棚２の天板１６との間に設けてあることを特徴とするものである。このような構成によれば、昇降棚２が上昇した状態で昇降棚２の天板１６と昇降機構部１３のカバー１４との間において孔２８の周部をシール手段２９にてシールを図ることができ、昇降棚２を上昇させた乾燥工程において排気が孔２８を経て昇降機構部１３側に波及するのを防止することができ、このように、昇降棚２とカバー１４との間においてシールを図ることから、昇降棚２は従来のように密閉型にしなくてもよく、昇降棚２の構成を例えば、かご型にする等のように簡素化することができ、かつ、収容量を増すことができるという利点がある。しかも、シール手段２９は孔２８の周部において形成されることから、シール構成を簡素化することができる。
【０００６】
請求項２においては、下方が開放された外部ケース１に乾燥させる物品を収容することができる昇降棚２を上昇させて収納及び下降させて取出し自在に設けた昇降乾燥装置であって、外部ケース１内において昇降棚２を昇降させる昇降機構部１３をカバー１４にて囲繞し、カバー１４に昇降用の昇降索２７を通過させる孔２８を形成し、昇降棚２が上昇された収納状態において孔２８を閉塞するシール手段２９を昇降棚２の外周部においてカバー１４と昇降棚２の天板１６との間に設けてあることを特徴とするものである。このような構成によれば、昇降棚２が上昇した状態で昇降棚２の天板１６と昇降機構部１３のカバー１４との間で昇降棚２の外周部において孔２８をシール手段２９にてシールを図ることができ、昇降棚２を上昇させた乾燥工程において排気が孔２８を経て昇降機構部１３側に波及するのを防止することができ、このように、昇降棚２とカバー１４との間においてシールを図ることから、昇降棚２は従来のように密閉型にしなくてもよく、昇降棚２の構成を例えば、かご型にする等のように簡素化することができ、かつ、収容量を増すことができるという利点がある。しかも、シール手段２９は昇降棚２の外周部に形成されることから、昇降棚２の上昇した収納姿勢を安定化させやすい。
【０００７】
請求項３においては、上昇して収納された昇降棚２の下端部と外部ケース１の下端部とに間のシールを図るシール部３０を設けていることを特徴とするものである。このような構成によれば、昇降棚２が上昇して収納される状態においてシール部３０によってシールを図ることができ、昇降棚２と外部ケース１との間からゴキブリ等が侵入するのを確実に防止することができる。
【０００８】
請求項４においては、下降して引出された昇降棚２の上端部と外部ケース１の下端部との間のシールを図るシール材３１を設けてあることを特徴とするものである。このような構成によれば、昇降棚２の下降状態においても、昇降棚２と外部ケース１との間のシールを図ることができ、昇降棚２と外部ケース１との間からゴキブリ等が侵入するのを確実に防止することができるという利点がある。
【０００９】
請求項５においては、外部ケース１の天板４６の下面に昇降機構部１３を取付け、断面Ｕ字状に形成したカバー１４を外部ケース１の天板４６の下面に着脱自在に取付けてあるから、請求項１の効果に加えて、カバー１４を下方から外すことで、昇降機構部１３の保守点検を容易におこなうことができる。
【００１０】
【発明の実施の形態】
以下、本発明の実施の形態を説明する。図１は概略正断面図、図２は概略平断面図、図３は概略側面図、図４(ａ)は水受けの正面図、同図(ｂ)は平面図、同図(ｃ)は部分拡大断面図である。
【００１１】
昇降乾燥装置Ａは食器乾燥装置であり、天袋の一部を構成するもので、例えば、調理部と食堂とを仕切る天袋の一部として設置され、その下方にはカウンター(図示せず)が配設される。以下、詳述する。
【００１２】
外部ケース１は下方が開放された箱型に形成され、開くことができない擬似扉２５を備え、外部ケース１の内部上部にはファン７とヒータ８を備えた温風供給部９が設置され、更に、滑車１０と巻取りドラム１１と駆動モータ１２を備えた昇降機構部１３が設置され、カバー１４にて囲繞されて湿気等入らないように気密が保たれている。カバー１４には吹出し口１５を貫通している。ところで、ファン７はヒータ８とは独立して駆動できるようになっていて、ヒータ８を駆動させる温風供給、又は、ヒータ８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１３】
昇降機構部１３からの一対のベルトのような昇降索２７，２７に昇降棚２を係着していて、駆動モータ１２によって昇降棚２を昇降することができるようにしている。
【００１４】
昇降棚２は天板１６と水受け４との間に、例えば、カラー塗装して錆び止めを図った金属線材１７を複数本架設して、略かご状にしたものであり、金属線材１７，１７間に皿を挿入して保持したり、又、ちゃわんのような容器状の食器を内部に収容できるようにしている。
【００１５】
外部ケース１の短い側板１８側に沿って吸気ダクト１９が付設され、吸気口２０が外部ケース１の下端に形成されている。吸気口２０には吸気フィルター２１が着脱自在に取付けられている。
【００１６】
昇降棚２の水受け４はパン状に形成され、ビス２２にて止められ、ビス２２を外すことで取外すことができるようにしている。水受け４には水勾配が形成され、水勾配の最も低い部分に排水口２３を形成している。水受け４の裏面で排水口２３の左右近傍にはレール２４，２４が形成され、受け皿６を手指で手前に引出すことで、排水することができるようにしている。又、水受け４は、水受け機能とともに、ガード３となって、その外周縁部５によって、箸やスプーンが飛び出るのを防止するようにしている。
【００１７】
このように、外部ケース１の内方上部に温風供給部９を設け、外部ケース１の内方側部で温風供給部９から下端に至る吸気ダクト１９を設けるとともに吸気ダクト１９の先端部の吸気口２０に吸気フィルター２１を着脱自在に設けることによって、吸気口２０及び吸気フィルター２１の保守点検を椅子等を設置することなく、楽におこなえるのである。
【００１８】
更に、吸気口２０とは反対側部分に排気口２６を設けているから、排気口２６から排出された排気を吸気口２０から吸気することを低減して、湿った空気が循環するのを防止するができて乾燥効率を高めることができるのである。
【００１９】
しかも、昇降棚２の底部に水受け４を形成するとともに最も低い位置に排水口２３を形成し、排水口２３の下側に受け皿６を設け、排水口２３を経て受け皿６の上面及びその周部を通過した排気が排出される排気口２６を受け皿６の下方に形成していることから、図５(ｂ)に示すように、昇降棚２からの排気は、水受け４の排水口２３を経て受け皿６に向かい、受け皿６の周部を経て受け皿６の下側の排気口２６からおこなうことから、昇降棚２から充分に湿気を含んだ排気を一旦、水を受ける受け皿６の上を通過させることで、排気中の湿気（蒸気）を受け皿６において凝集させることができ、したがって、排気口２６において湿気（蒸気）が凝集するのを防止することができるのである。符号４１は排気フィルターである。
【００２０】
又、温風供給部９は、ファン７とヒータ８とを備え、ヒータ８を作動させない状態で送風をおこなう手段を備えていることから、送風のみをおこなうことができて、送風状態で時間がたてばヒータ８を使用しなくても充分に乾燥することができ、ヒータ８を使用しないで省エネを図ることができるのである。更に、送風をおこなうことから、昇降棚２の乾燥をおこなうことができるとともに昇降乾燥装置の換気を図ることができ、非使用状態で放置された場合に、内部における結露を防止することができるのである。しかも、このように乾燥を充分におこなえるので、例えば、食器乾燥機としてだけでなく、シンク上において水切り収納棚としても使用することができるのである。又、夏場等で暑い日に、高温排気が排出されることが気になる場合、送風状態にしておけば、熱い風を受けることなく作業ができてよい。この場合、その場を離れる時にヒータ８を作動させる温風乾燥状態に切換える。更には、乾燥終了後に、送風状態にしておくと、冷えた飲食物を使用するグラスのような器を冷却することができてよい。
【００２１】
ところで、図６に示すように、外部ケース１内において昇降機構部１３を囲繞しているカバー１４に昇降索２７を通過させる孔２８があり、この孔２８を昇降棚２が上昇された収納状態において閉塞するシール手段２９を孔２８の周部においてカバー１４と昇降棚２の天板１６との間に設けている。具体的には、カバー１４の孔２８の周部にパッキン３３を貼っている。
【００２２】
しかして、昇降棚２が上昇した状態で昇降棚２の天板１６と昇降機構部１３のカバー１４との間において孔２８の周部をシール手段２９にてシールを図ることができるのであり、昇降棚２を上昇させた乾燥工程において排気が孔２８を経て昇降機構部１３側に波及するのを防止することができるのである。このように、昇降棚２とカバー１４との間においてシールを図ることから、昇降棚２の構成を例えば、かご型にして簡素化することができ、かつ、収容量を増すことができるのである。しかも、シール手段２９は孔２８の周部において形成されることから、シール構成を簡素化することができるのである。
【００２３】
図７は他の実施の形態を示し、但し、本実施の形態の基本構成は上記実施の形態と共通であり、共通する部分には同一の符号を付して説明は省略する。
【００２４】
本実施の形態においては、昇降棚２が上昇された収納状態において孔２８を閉塞するシール手段２９を昇降棚２の外周部においてカバー１４と昇降棚２の天板１６との間に設けている。具体的には、カバー１４の周部にパッキン３３を貼ったものである。
【００２５】
本実施の形態においては、シール手段２９は昇降棚２の外周部に形成されることから、昇降棚２の上昇した収納姿勢を安定化させやすいものである。
【００２６】
図８は昇降棚２が上昇した収納姿勢におけるシール構造を示している。同図(ａ)に示すように、開くことができないが形状は扉状に形成された擬似扉３４側の桟３５にパッキン材３６を取付け、このパッキン材３６に水受け４側のゴム片３７を当接するようにし、又、背部側においては、側板１８から延出したシール受け片３８に水受け４側のゴム突条３９を当接するようにしたものである。このようなシール部３０は例えば、同図(ｂ)のように変更することができる。又、他の形態のものでもよいものである。
【００２７】
このように、上昇して収納された昇降棚２の下端部と外部ケース１の下端部とに間のシールを図るシール部３０を設けることで、昇降棚２が上昇して収納される状態においてシール部３０によってシールを図ることができ、昇降棚２と外部ケース１との間からゴキブリ等が侵入するのを確実に防止することができるのである。
【００２８】
図９は昇降棚２が下降した引降ろし姿勢におけるシール構造を示している。具体的には、同上(ａ)に示すように、昇降棚２の天板１６にゴムパッキン４０を設けて側板１８側のシール受片３８に弾接するようにしたものである。シール受片３８の下面にはゴム片３７が設けられて昇降棚２の上昇時におけるシールを図るようにしている。
【００２９】
このように、下降して引出された昇降棚２の上端部と外部ケース１の下端部との間のシールを図るシール材３１を設けていることで、昇降棚２の下降状態においても、昇降棚２と外部ケース１との間のシールを図ることができ、昇降棚２と外部ケース１との間からゴキブリ等が侵入するのを確実に防止することができるものである。そして、シール材３１の構成は、同図(ｂ)に示すように変更することができる。
【００３０】
図１０は昇降機構部１３を覆うカバー１４の構造を示していて、外部ケース１の天板４６の下面に昇降機構部１３を取付け、断面Ｕ字状に形成したカバー１４を外部ケース１の天板４６の下面に着脱自在に取付けたものである。具体的には、カバー１４の周縁部に取付片３２を形成してカバー１４を下方から取外し自在に取付けたものであり、下方から外すことで、昇降機構部１３の保守点検を容易におこなうことができるのである。
【００３１】
【発明の効果】
請求項１においては、下方が開放された外部ケースに乾燥させる物品を収容することができる昇降棚を上昇させて収納及び下降させて取出し自在に設けた昇降乾燥装置であって、外部ケース内において昇降棚を昇降させる昇降機構部をカバーにて囲繞し、カバーに昇降用の昇降索を通過させる孔を形成し、昇降棚が上昇された収納状態において孔を閉塞するシール手段を孔の周部においてカバーと昇降棚の天板との間に設けてあるから、昇降棚が上昇した状態で昇降棚の天板と昇降機構部のカバーとの間において孔の周部をシール手段にてシールを図ることができ、昇降棚を上昇させた乾燥工程において排気が孔を経て昇降機構部側に波及するのを防止することができ、このように、昇降棚とカバーとの間においてシールを図ることから、昇降棚は従来のように密閉型にしなくてもよく、昇降棚の構成を例えば、かご型にする等のように簡素化することができ、かつ、収容量を増すことができるという利点がある。しかも、シール手段は孔の周部において形成されることから、シール構成を簡素化することができるという利点がある。
【００３２】
請求項２においては、下方が開放された外部ケースに乾燥させる物品を収容することができる昇降棚を上昇させて収納及び下降させて取出し自在に設けた昇降乾燥装置であって、外部ケース内において昇降棚を昇降させる昇降機構部をカバーにて囲繞し、カバーに昇降用の昇降索を通過させる孔を形成し、昇降棚が上昇された収納状態において孔を閉塞するシール手段を昇降棚の外周部においてカバーと昇降棚の天板との間に設けてあるから、昇降棚が上昇した状態で昇降棚の天板と昇降機構部のカバーとの間で昇降棚の外周部において孔をシール手段にてシールを図ることができ、昇降棚を上昇させた乾燥工程において排気が孔を経て昇降機構部側に波及するのを防止することができ、このように、昇降棚とカバーとの間においてシールを図ることから、昇降棚は従来のように密閉型にしなくてもよく、昇降棚の構成を例えば、かご型にする等のように簡素化することができ、かつ、収容量を増すことができるという利点がある。しかも、シール手段は昇降棚の外周部に形成されることから、昇降棚の上昇した収納姿勢を安定化させやすいという利点がある。
【００３３】
請求項３においては、上昇して収納された昇降棚の下端部と外部ケースの下端部とに間のシールを図るシール部を設けているから、請求項１又は２の効果に加えて、昇降棚が上昇して収納される状態においてシール部によってシールを図ることができ、昇降棚と外部ケースとの間からゴキブリ等が侵入するのを確実に防止することができるという利点がある。
【００３４】
請求項４においては、下降して引出された昇降棚の上端部と外部ケースの下端部との間のシールを図るシール材を設けてあるから、請求項１乃至３のいずれかの効果に加えて、昇降棚の下降状態においても、昇降棚と外部ケースとの間のシールを図ることができ、昇降棚と外部ケースとの間からゴキブリ等が侵入するのを確実に防止することができるという利点がある。
【００３５】
請求項５においては、外部ケースの天板の下面に昇降機構部を取付け、断面Ｕ字状に形成したカバーを外部ケースの天板の下面に着脱自在に取付けてあるから、請求項１の効果に加えて、カバーを下方から外すことで、昇降機構部の保守点検を容易におこなうことができるという利点がある。
【図面の簡単な説明】
【図１】本発明の実施の一形態の概略正断面図である。
【図２】同上の概略平断面図である。
【図３】同上の概略側断面図である。
【図４】(ａ)は水受けの正面図、(ｂ)は平面図、(ｃ)は部分拡大断面図である。
【図５】(ａ)は概略断面図、(ｂ)は作用を示す概略斜視図である。
【図６】(ａ)は平断面図、(ｂ)は概略側断面図である。
【図７】(ａ)は同上の他の実施の形態の平断面図、(ｂ)は概略側断面図である。
【図８】(ａ)は一部破断した概略断面図、(ｂ)は他の実施の形態を示し、一部破断した概略断面図である。
【図９】(ａ)は概略断面図、(ｂ)は他の実施の形態の概略断面図である。
【図１０】同上の更に他の実施の形態を示す概略断面図である。
【図１１】従来例の概略断面図である。
【符号の説明】
１    外部ケース
２    昇降棚
１３  昇降機構部
１４  カバー
１６  天板
２８  孔
２９  シール手段
３０  シール部
３１  シール材
【図１】
0003539307.tif 000002
【図２】
0003539307.tif 000003
【図３】
0003539307.tif 000004
【図４】
0003539307.tif 000005
【図５】
0003539307.tif 000006
【図６】
0003539307.tif 000007
【図７】
0003539307.tif 000008
【図８】
0003539307.tif 000009
【図９】
0003539307.tif 000010
【図１０】
0003539307.tif 000011
【図１１】
0003539307.tif 000012